(57)【要約】【課題】校正画像に含まれる部分画像の確認を容易化する校正支援方法を提供する。【解決手段】第１コンピュータによって実行される校正支援方法は、校正画像を含む校正画面を表示するための第１画面データを第２コンピュータに提供するステップと、校正画面内で部分画像の確認依頼が行われたときに、第２コンピュータから確認依頼指示を受信するステップと、確認依頼指示に基づき部分画像の確認状況情報を更新するステップと、確認画面を表示するための第２画面データを第３コンピュータに提供するステップと、確認画面内で部分画像の確認が行われたときに、第３コンピュータから確認指示を受信するステップと、確認指示に基づき確認状況情報を更新するステップとを備える。【選択図】図６
2020154410.tif 000002
【特許請求の範囲】
【請求項１】
第１コンピュータと第２コンピュータと第３コンピュータとが通信可能に接続されている場合に、前記第１コンピュータによって実行される校正支援方法であって、
校正画像を含む校正画面を表示するための第１画面データを前記第２コンピュータに提供するステップと、
前記第２コンピュータに表示された前記校正画面内で、少なくとも前記校正画像の一部分を構成する部分画像の位置と前記部分画像を確認すべき確認者とを指定して前記部分画像の確認依頼が行われたときに、前記第２コンピュータから確認依頼指示を受信するステップと、
前記確認依頼指示に基づき、前記部分画像の確認状況情報を更新するステップと、
前記部分画像の確認画面を表示するための第２画面データを前記第３コンピュータに提供するステップと、
前記第３コンピュータに表示された前記確認画面内で前記部分画像の確認が行われたときに、前記第３コンピュータから確認指示を受信するステップと、
前記確認指示に基づき、前記確認状況情報を更新するステップとを備えた、校正支援方法。
【請求項２】
前記第２コンピュータから前記確認依頼指示を受信したときに、前記部分画像の確認依頼が行われたことを示す電子メールを前記第３コンピュータに送信するステップをさらに備えた、請求項１に記載の校正支援方法。
【請求項３】
前記電子メールは、前記第２画面データの提供を受けるためのアドレス情報を含むことを特徴とする、請求項２に記載の校正支援方法。
【請求項４】
前記第３コンピュータから前記確認指示を受信したときに、前記部分画像の確認が行われたことを示す電子メールを前記第２コンピュータに送信するステップをさらに備えた、請求項２に記載の校正支援方法。
【請求項５】
前記確認状況情報に基づく確認状況画面を表示するための第３画面データを前記第２コンピュータに提供するステップをさらに備えた、請求項１に記載の校正支援方法。
【請求項６】
前記確認状況画面は、複数の確認者による確認状況を一覧表形式で表示することを特徴とする、請求項５に記載の校正支援方法。
【請求項７】
前記第２コンピュータに表示された前記確認状況画面内で前記部分画像の確認依頼がキャンセルされたときに、前記第２コンピュータから確認キャンセル指示を受信するステップと、
前記確認キャンセル指示に基づき、前記確認状況情報を更新するステップとをさらに備えた、請求項６に記載の校正支援方法。
【請求項８】
前記第２コンピュータから前記確認キャンセル指示を受信したときに、前記部分画像の確認依頼がキャンセルされたことを示す電子メールを前記第３コンピュータに送信するステップをさらに備えた、請求項７に記載の校正支援方法。
【請求項９】
第１コンピュータと第２コンピュータと第３コンピュータとが通信可能に接続されている場合に、前記第１コンピュータによって実行される校正支援プログラムであって、
校正画像を含む校正画面を表示するための第１画面データを前記第２コンピュータに提供するステップと、
前記第２コンピュータに表示された前記校正画面内で、少なくとも前記校正画像の一部分を構成する部分画像の位置と前記部分画像を確認すべき確認者とを指定して前記部分画像の確認依頼が行われたときに、前記第２コンピュータから確認依頼指示を受信するステップと、
前記確認依頼指示に基づき、前記部分画像の確認状況情報を更新するステップと、
前記部分画像の確認画面を表示するための第２画面データを前記第３コンピュータに提供するステップと、
前記第３コンピュータに表示された前記確認画面内で前記部分画像の確認が行われたときに、前記第３コンピュータから確認指示を受信するステップと、
前記確認指示に基づき、前記確認状況情報を更新するステップとを前記第１コンピュータにＣＰＵがメモリを利用して実行させることを特徴とする、校正支援プログラム。
【請求項１０】
前記第２コンピュータから前記確認依頼指示を受信したときに、前記部分画像の確認依頼が行われたことを示す電子メールを前記第３コンピュータに送信するステップを前記第１コンピュータにさらに実行させることを特徴とする、請求項９に記載の校正支援プログラム。
【請求項１１】
前記電子メールは、前記第２画面データの提供を受けるためのアドレス情報を含むことを特徴とする、請求項１０に記載の校正支援プログラム。
【請求項１２】
前記第３コンピュータから前記確認指示を受信したときに、前記部分画像の確認が行われたことを示す電子メールを前記第２コンピュータに送信するステップを前記第１コンピュータにさらに実行させることを特徴とする、請求項１０に記載の校正支援プログラム。
【請求項１３】
前記確認状況情報に基づく確認状況画面を表示するための第３画面データを前記第２コンピュータに提供するステップを前記第１コンピュータにさらに実行させることを特徴とする、請求項９に記載の校正支援プログラム。
【請求項１４】
前記確認状況画面は、複数の確認者による確認状況を一覧表形式で表示することを特徴とする、請求項１３に記載の校正支援プログラム。
【請求項１５】
前記第２コンピュータに表示された前記確認状況画面内で前記部分画像の確認依頼がキャンセルされたときに、前記第２コンピュータから確認キャンセル指示を受信するステップと、
前記確認キャンセル指示に基づき、前記確認状況情報を更新するステップとを前記第１コンピュータにさらに実行させることを特徴とする、請求項１４に記載の校正支援プログラム。
【請求項１６】
前記第２コンピュータから前記確認キャンセル指示を受信したときに、前記部分画像の確認依頼がキャンセルされたことを示す電子メールを前記第３コンピュータに送信するステップを前記第１コンピュータにさらに実行させることを特徴とする、請求項１５に記載の校正支援プログラム。
【請求項１７】
通信可能に接続された第１コンピュータと第２コンピュータと第３コンピュータとによって実行される校正支援方法であって、
前記第１コンピュータが、校正画像を含む校正画面を表示するための第１画面データを前記第２コンピュータに提供するステップと、
前記第２コンピュータが、前記第１コンピュータから提供された前記第１画面データに基づき、前記校正画面を表示するステップと、
前記第２コンピュータに表示された前記校正画面内で、少なくとも前記校正画像の一部分を構成する部分画像の位置と前記部分画像を確認すべき確認者とを指定して前記部分画像の確認依頼が行われたときに、前記第２コンピュータが確認依頼指示を前記第１コンピュータに送信するステップと、
前記第１コンピュータが、前記第２コンピュータから受信した前記確認依頼指示に基づき、前記部分画像の確認状況情報を更新するステップと、
前記第１コンピュータが、前記部分画像の確認画面を表示するための第２画面データを前記第３コンピュータに提供するステップと、
前記第３コンピュータが、前記第１コンピュータから提供された前記第２画面データに基づき、前記確認画面を表示するステップと、
前記第３コンピュータに表示された前記確認画面内で前記部分画像の確認が行われたときに、前記第３コンピュータが確認指示を前記第１コンピュータに送信するステップと、
前記第１コンピュータが、前記第３コンピュータから受信した前記確認指示に基づき、前記確認状況情報を更新するステップとを備えた、校正支援方法。
【発明の詳細な説明】
【技術分野】
【０００１】
本発明は、印刷の前に行われる校正を支援する校正支援方法、および、校正支援プログラムに関する。
【背景技術】
【０００２】
印刷処理では、印刷を行う前に、ＲＩＰ（Raster Image Processor）処理で求めた印刷データが表す画像を校正画像として校正を行うことがある。例えば、印刷物が商品カタログである場合、印刷物には複数の画像が掲載される。この場合、校正者は校正画像に含まれる画像が正しいことを確認する必要がある。しかし、すべての画像の確認を校正者が行うことは、一般には困難である。そこで、校正者は、画像の確認を行うための知識や権限を有する人に画像の確認を依頼する。以下、校正画像の一部分を構成し、確認の対象となる画像を「部分画像」、校正者からの依頼に応じて部分画像を確認する作業を「部分確認」、部分確認を行う人を「確認者」という。
【０００３】
印刷物の種類によっては、校正者と確認者が別の会社に所属する場合がある。また、校正者が、２枚の部分画像の確認を別の会社に所属する２人の確認者にそれぞれ依頼する場合がある。例えば、印刷物が会社Ａの製品と会社Ｂの製品とを掲載した商品カタログである場合、校正者は会社Ａ内の確認者に会社Ａの製品の画像の確認を依頼し、会社Ｂ内の確認者に会社Ｂの製品の画像の確認を依頼する。校正段階では、会社Ａ内の確認者が会社Ｂの製品の画像を見ることや、会社Ｂ内の確認者が会社Ａの製品の画像を見ることが許されない場合がある。この場合、校正者は、校正画像から会社Ａの製品の画像を抽出して会社Ａ内の確認者に確認を依頼し、校正画像から会社Ｂの製品の画像を抽出して会社Ｂ内の確認者に確認を依頼する。
【０００４】
従来、部分確認に関する処理は手作業で行われている。図１６は、従来の部分確認に関する処理を示す図である。図１６には、校正者Ｍ３が２人の確認者Ｍ４１、Ｍ４２に部分画像の確認を依頼する場合が記載されている。校正者Ｍ３は、校正画像から会社Ａの製品の画像を抽出し、抽出した画像を含む校正紙Ｓ１を作成する。また、校正者Ｍ３は、校正画像から会社Ｂの製品の画像を抽出し、抽出した画像を含む校正紙Ｓ２を作成する。連絡者Ｍ５は、校正紙Ｓ１を会社Ａ内の確認者Ｍ４１に送信し、校正紙Ｓ２を会社Ｂ内の確認者Ｍ４２に送信する。確認者Ｍ４１は、受信した校正紙Ｓ１に含まれる画像（会社Ａの製品の画像）の確認結果を校正紙Ｓ１に記入し、記入済みの校正紙Ｓ１を連絡者Ｍ５に返送する。確認者Ｍ４２も、同様の作業を行う。校正紙Ｓ１、Ｓ２は、連絡者Ｍ５と確認者Ｍ４１、Ｍ４２の間で、例えば、郵便、ＦＡＸ、または、電子メールを用いて送信される。連絡者Ｍ５は、記入済みの校正紙Ｓ１、Ｓ２に基づき校正指示書を作成する。校正者Ｍ３は、作成された校正指示書に基づき校正を行う。
【０００５】
本願発明に関連して、特許文献１には、表示画面に原稿画像を表示し、利用者が表示画面を見て接触操作することにより指定した原稿画像の一部のみを送信するファクシミリ装置が記載されている。特許文献２には、画像プリントサービスに関し、受発注管理者は、デザイン画像の点検、校正を終了したときに顧客端末に電子メールを送信し、顧客端末が電子メールを受信したときに、顧客はデザイン注文サイトのデザイン確認画面にアクセスしてデザイン画像の仕上がりが希望どおりか否かを確認することが記載されている。
【先行技術文献】
【特許文献】
【０００６】
【特許文献１】特開平４−２３８４５８号公報
【特許文献２】特開２００４−３１２４１８号公報
【発明の概要】
【発明が解決しようとする課題】
【０００７】
図１６に示す従来の処理には、処理の流れが複雑で作業効率が悪いという問題がある。例えば、校正紙Ｓ１、Ｓ２の送信に手間とコストがかかる。また、校正紙Ｓ１、Ｓ２に基づき校正指示書を作成する作業を手作業で行うので、手間がかかる。また、連絡者Ｍ５が校正紙Ｓ１、Ｓ２の送信先を間違える可能性がある。
【０００８】
それ故に、本発明は、校正画像に含まれる部分画像の確認を容易化する校正支援方法、および、校正支援プログラムを提供することを目的とする。
【課題を解決するための手段】
【０００９】
本発明の第１の局面は、第１コンピュータと第２コンピュータと第３コンピュータとが通信可能に接続されている場合に、前記第１コンピュータによって実行される校正支援方法であって、
校正画像を含む校正画面を表示するための第１画面データを前記第２コンピュータに提供するステップと、
前記第２コンピュータに表示された前記校正画面内で、少なくとも前記校正画像の一部分を構成する部分画像の位置と前記部分画像を確認すべき確認者とを指定して前記部分画像の確認依頼が行われたときに、前記第２コンピュータから確認依頼指示を受信するステップと、
前記確認依頼指示に基づき、前記部分画像の確認状況情報を更新するステップと、
前記部分画像の確認画面を表示するための第２画面データを前記第３コンピュータに提供するステップと、
前記第３コンピュータに表示された前記確認画面内で前記部分画像の確認が行われたときに、前記第３コンピュータから確認指示を受信するステップと、
前記確認指示に基づき、前記確認状況情報を更新するステップとを備える。
【００１０】
本発明の第２の局面は、本発明の第１の局面において、
前記第２コンピュータから前記確認依頼指示を受信したときに、前記部分画像の確認依頼が行われたことを示す電子メールを前記第３コンピュータに送信するステップをさらに備える。
【００１１】
本発明の第３の局面は、本発明の第２の局面において、
前記電子メールは、前記第２画面データの提供を受けるためのアドレス情報を含むことを特徴とする。
【００１２】
本発明の第４の局面は、本発明の第２の局面において、
前記第３コンピュータから前記確認指示を受信したときに、前記部分画像の確認が行われたことを示す電子メールを前記第２コンピュータに送信するステップをさらに備える。
【００１３】
本発明の第５の局面は、本発明の第１の局面において、
前記確認状況情報に基づく確認状況画面を表示するための第３画面データを前記第２コンピュータに提供するステップをさらに備える。
【００１４】
本発明の第６の局面は、本発明の第５の局面において、
前記確認状況画面は、複数の確認者による確認状況を一覧表形式で表示することを特徴とする。
【００１５】
本発明の第７の局面は、本発明の第６の局面において、
前記第２コンピュータに表示された前記確認状況画面内で前記部分画像の確認依頼がキャンセルされたときに、前記第２コンピュータから確認キャンセル指示を受信するステップと、
前記確認キャンセル指示に基づき、前記確認状況情報を更新するステップとをさらに備える。
【００１６】
本発明の第８の局面は、本発明の第７の局面において、
前記第２コンピュータから前記確認キャンセル指示を受信したときに、前記部分画像の確認依頼がキャンセルされたことを示す電子メールを前記第３コンピュータに送信するステップをさらに備える。
【００１７】
本発明の第９の局面は、第１コンピュータと第２コンピュータと第３コンピュータとが通信可能に接続されている場合に、前記第１コンピュータによって実行される校正支援プログラムであって、
校正画像を含む校正画面を表示するための第１画面データを前記第２コンピュータに提供するステップと、
前記第２コンピュータに表示された前記校正画面内で、少なくとも前記校正画像の一部分を構成する部分画像の位置と前記部分画像を確認すべき確認者とを指定して前記部分画像の確認依頼が行われたときに、前記第２コンピュータから確認依頼指示を受信するステップと、
前記確認依頼指示に基づき、前記部分画像の確認状況情報を更新するステップと、
前記部分画像の確認画面を表示するための第２画面データを前記第３コンピュータに提供するステップと、
前記第３コンピュータに表示された前記確認画面内で前記部分画像の確認が行われたときに、前記第３コンピュータから確認指示を受信するステップと、
前記確認指示に基づき、前記確認状況情報を更新するステップとを前記第１コンピュータにＣＰＵがメモリを利用して実行させることを特徴とする。
【００１８】
本発明の第１０の局面は、本発明の第９の局面において、
前記第２コンピュータから前記確認依頼指示を受信したときに、前記部分画像の確認依頼が行われたことを示す電子メールを前記第３コンピュータに送信するステップを前記第１コンピュータにさらに実行させることを特徴とする。
【００１９】
本発明の第１１の局面は、本発明の第１０の局面において、
前記電子メールは、前記第２画面データの提供を受けるためのアドレス情報を含むことを特徴とする。
【００２０】
本発明の第１２の局面は、本発明の第１０の局面において、
前記第３コンピュータから前記確認指示を受信したときに、前記部分画像の確認が行われたことを示す電子メールを前記第２コンピュータに送信するステップを前記第１コンピュータにさらに実行させることを特徴とする。
【００２１】
本発明の第１３の局面は、本発明の第９の局面において、
前記確認状況情報に基づく確認状況画面を表示するための第３画面データを前記第２コンピュータに提供するステップを前記第１コンピュータにさらに実行させることを特徴とする。
【００２２】
本発明の第１４の局面は、本発明の第１３の局面において、
前記確認状況画面は、複数の確認者による確認状況を一覧表形式で表示することを特徴とする。
【００２３】
本発明の第１５の局面は、本発明の第１４の局面において、
前記第２コンピュータに表示された前記確認状況画面内で前記部分画像の確認依頼がキャンセルされたときに、前記第２コンピュータから確認キャンセル指示を受信するステップと、
前記確認キャンセル指示に基づき、前記確認状況情報を更新するステップとを前記第１コンピュータにさらに実行させることを特徴とする。
【００２４】
本発明の第１６の局面は、本発明の第１５の局面において、
前記第２コンピュータから前記確認キャンセル指示を受信したときに、前記部分画像の確認依頼がキャンセルされたことを示す電子メールを前記第３コンピュータに送信するステップを前記第１コンピュータにさらに実行させることを特徴とする。
【００２５】
本発明の第１７の局面は、通信可能に接続された第１コンピュータと第２コンピュータと第３コンピュータとによって実行される校正支援方法であって、
前記第１コンピュータが、校正画像を含む校正画面を表示するための第１画面データを前記第２コンピュータに提供するステップと、
前記第２コンピュータが、前記第１コンピュータから提供された前記第１画面データに基づき、前記校正画面を表示するステップと、
前記第２コンピュータに表示された前記校正画面内で、少なくとも前記校正画像の一部分を構成する部分画像の位置と前記部分画像を確認すべき確認者とを指定して前記部分画像の確認依頼が行われたときに、前記第２コンピュータが確認依頼指示を前記第１コンピュータに送信するステップと、
前記第１コンピュータが、前記第２コンピュータから受信した前記確認依頼指示に基づき、前記部分画像の確認状況情報を更新するステップと、
前記第１コンピュータが、前記部分画像の確認画面を表示するための第２画面データを前記第３コンピュータに提供するステップと、
前記第３コンピュータが、前記第１コンピュータから提供された前記第２画面データに基づき、前記確認画面を表示するステップと、
前記第３コンピュータに表示された前記確認画面内で前記部分画像の確認が行われたときに、前記第３コンピュータが確認指示を前記第１コンピュータに送信するステップと、
前記第１コンピュータが、前記第３コンピュータから受信した前記確認指示に基づき、前記確認状況情報を更新するステップとを備える。
【発明の効果】
【００２６】
上記第１、第９、または、第１７の局面によれば、第２コンピュータに表示された校正画面内で校正画像の一部分を構成する部分画像の位置と部分画像を確認すべき確認者とを指定することにより、部分画像の確認依頼を容易に行うことができる。また、第３コンピュータに表示された確認画面内で部分画像の確認を容易に行うことができる。また、第１コンピュータは、第２コンピュータから受信した確認依頼指示と第３コンピュータから受信した確認指示とに基づき、部分画像の確認状況を管理する。したがって、校正紙を用いずに、校正画像に含まれる部分画像の確認を容易に行い、作業効率を高めることができる。
【００２７】
上記第２または第１０の局面によれば、部分画像の確認依頼が行われたことを示す電子メールを第３コンピュータに送信することにより、第３コンピュータを操作する作業者は部分画像の確認依頼が行われたことを知ることができる。
【００２８】
上記第３または第１１の局面によれば、第３コンピュータを操作する作業者は、電子メールに含まれるアドレス情報を用いて、第３コンピュータに確認画面を表示させることができる。
【００２９】
上記第４または第１２の局面によれば、部分画像の確認が行われたことを示す電子メールを第２コンピュータに送信することにより、第２コンピュータを操作する作業者は部分画像の確認が行われたことを知ることができる。
【００３０】
上記第５または第１３の局面によれば、第２コンピュータを操作する作業者は、第２コンピュータに表示された確認状況画面を見て、部分画像の確認状況を知ることができる。
【００３１】
上記第６または第１４の局面によれば、第２コンピュータを操作する作業者は、複数の確認者による確認状況を一覧表形式で知ることができる。
【００３２】
上記第７または第１５の局面によれば、第２コンピュータに表示された確認状況画面内で部分画像の確認依頼を容易にキャンセルすることができる。
【００３３】
上記第８または第１６の局面によれば、部分画像の確認依頼がキャンセルされたことを示す電子メールを第３コンピュータに送信することにより、第３コンピュータを操作する作業者は部分画像の確認依頼がキャンセルされたことを知ることができる。
【図面の簡単な説明】
【００３４】
【図１】本実施形態に係る校正支援方法を実行するコンピュータを含む印刷システムの構成を示すブロック図である。
【図２】図１に示す印刷システムに含まれるコンピュータの構成を示すブロック図である。
【図３】図１に示すサーバコンピュータの記憶部の記憶内容を示す図である。
【図４】図１に示す印刷システムを用いて印刷される商品カタログのページを示す図である。
【図５】図１に示す印刷システムを用いた印刷処理の概略手順を示す図である。
【図６】本実施形態に係る校正支援プログラムのフローチャートである。
【図７】図１に示す校正者コンピュータに表示される校正画面を示す図である。
【図８】図７に示す校正画面内で部分画像を指定する方法を示す図である。
【図９】図７に示す校正画面と共に表示される確認依頼画面を示す面である。
【図１０】図７に示す校正画面と共に表示される確認者選択画面を示す図である。
【図１１】図５に示すステップＳ２１６で送信される電子メールを示す図である。
【図１２】図１に示す確認者コンピュータに表示される確認画面を示す図である。
【図１３】図５に示すステップＳ２２６で送信される電子メールを示す図である。
【図１４】図１に示す校正者コンピュータに表示される確認状況画面を示す図である。
【図１５】図５に示すステップＳ２３６で送信される電子メールを示す図である。
【図１６】従来の部分確認に関する処理を示す図である。
【発明を実施するための形態】
【００３５】
以下、図面を参照して、本発明の実施形態に係る校正支援方法、および、校正支援プログラムについて説明する。本実施形態に係る校正支援方法は、コンピュータを用いて実行される。本実施形態に係る校正支援プログラムは、コンピュータを用いて校正支援方法を実行するためのプログラムである。
【００３６】
図１は、本実施形態に係る校正支援方法を実行するコンピュータを含む印刷システムの構成を示すブロック図である。図１に示す印刷システム１は、印刷機５、サーバコンピュータ１０、制作者コンピュータ２０、校正者コンピュータ３０、および、確認者コンピュータ４１、４２を備えている。印刷システム１に含まれるコンピュータは、通信ネットワーク９を用いて通信可能に接続されている。なお、印刷システム１に含まれるコンピュータの名称は、複数のコンピュータを区別するために便宜的に付けたものである。
【００３７】
印刷機５とサーバコンピュータ１０は、印刷会社に配置され、印刷会社に所属する印刷機オペレータＭ１によって操作される。サーバコンピュータ１０は、印刷に必要な各種のデータ（ページデータ、校正画像、確認状況情報１２など）を記憶する印刷データベース１１を含んでいる。サーバコンピュータ１０では、校正の支援や印刷機の制御を行う印刷支援プログラム１３が動作する。印刷支援プログラム１３は、本実施形態に係る校正支援プログラム１４を含んでいる。サーバコンピュータ１０は、校正支援プログラム１４を実行することにより、本実施形態に係る校正支援方法を実行する。
【００３８】
制作者コンピュータ２０と校正者コンピュータ３０は、印刷を発注する会社Ｘに配置される。会社Ｘには、制作者Ｍ２と校正者Ｍ３が所属する。制作者コンピュータ２０は制作者Ｍ２によって操作され、校正者コンピュータ３０は校正者Ｍ３によって操作される。制作者Ｍ２は、制作者コンピュータ２０を用いて印刷物を制作する。校正者Ｍ３は、校正者コンピュータ３０を操作して、サーバコンピュータ１０上で動作する印刷支援プログラム１３の機能を利用することにより、校正画像について校正を行う。校正者Ｍ３は、印刷支援プログラム１３に含まれる校正支援プログラム１４の機能を利用することにより、校正画像に含まれる部分画像の確認を確認者Ｍ４１、Ｍ４２に依頼する。
【００３９】
確認者コンピュータ４１は、印刷物に掲載される画像を提供する会社Ａに配置され、会社Ａに所属する確認者Ｍ４１によって操作される。確認者コンピュータ４２は、印刷物に含まれる別の画像を提供する会社Ｂに配置され、会社Ｂに所属する確認者Ｍ４２によって操作される。確認者Ｍ４１は、校正者Ｍ３からの依頼に応じて部分画像を確認する。確認者Ｍ４１は、確認者コンピュータ４１を操作して、サーバコンピュータ１０上で動作する校正支援プログラム１４の機能を利用することにより、部分画像を確認する。確認者Ｍ４２も、同様の作業を行う。例えば、印刷物が商品カタログである場合、会社Ｘは商品カタログの発行会社であり、会社Ａ、Ｂは商品カタログに掲載される商品の製造会社、販売会社などである。
【００４０】
なお、印刷システム１に含まれる印刷機５とコンピュータを上記以外の場所に配置してもよい。例えば、制作者Ｍ２と校正者Ｍ３が別の会社に所属する場合、制作者コンピュータ２０と校正者コンピュータ３０はそれぞれの会社に配置される。確認者Ｍ４１、Ｍ４２が同じ会社に所属する場合には、確認者コンピュータ４１、４２は同じ会社に配置される。サーバコンピュータ１０を印刷会社以外の場所に配置してもよい。確認者が３人以上いる場合、印刷システム１には３台以上の確認者コンピュータが含まれる。
【００４１】
図２は、印刷システム１に含まれるコンピュータの構成を示すブロック図である。図２に示すコンピュータ１００は、ＣＰＵ１０１、メインメモリ１０２、記憶部１０３、入力部１０４、表示部１０５、通信部１０６、および、記録媒体読み取り部１０７を備えている。メインメモリ１０２には、例えば、ＤＲＡＭが使用される。記憶部１０３には、例えば、ハードディスクやソリッドステートドライブが使用される。入力部１０４には、例えば、キーボード１０８やマウス１０９が含まれる。表示部１０５には、例えば、液晶ディスプレイが使用される。通信部１０６は、有線通信または無線通信のインターフェイス回路である。記録媒体読み取り部１０７は、プログラムなどを記憶した記録媒体１１０のインターフェイス回路である。記録媒体１１０には、例えば、ＣＤ−ＲＯＭ、ＤＶＤ−ＲＯＭ、ＵＳＢメモリなどの非一過性の記録媒体が使用される。
【００４２】
図３は、サーバコンピュータ１０の記憶部１０３の記憶内容を示す図である。図２に示すコンピュータ１００がサーバコンピュータ１０として機能する場合、記憶部１０３は、少なくとも、確認状況情報１２を含む印刷関連データ１５と、校正支援プログラム１４を含む印刷支援プログラム１３とを記憶する。印刷関連データ１５を記憶する記憶部１０３は、印刷データベース１１として機能する。校正支援プログラム１４を含む印刷支援プログラム１３は、例えば、他のコンピュータから通信部１０６を用いて受信したものでもよく、記録媒体１１０から記録媒体読み取り部１０７を用いて読み出したものでもよい。
【００４３】
サーバコンピュータ１０が印刷支援プログラム１３を実行するときには、印刷支援プログラム１３はメインメモリ１０２に複写転送される。サーバコンピュータ１０のＣＰＵ１０１は、メインメモリ１０２を作業用メモリとして利用して、メインメモリ１０２に記憶された印刷支援プログラム１３を実行する。これにより、サーバコンピュータ１０は、校正を支援する処理や、印刷機５を制御する処理などを行う。なお、以上に述べたコンピュータ１００の構成は一例に過ぎず、任意のコンピュータを印刷システム１に含まれるコンピュータとして用いることができる。
【００４４】
以下では例として、印刷システム１を用いて商品カタログを印刷する場合について説明する。図４は、印刷システム１を用いて印刷される商品カタログのページを示す図である。図４に示す２ページには、複数の商品の画像（写真画像）が掲載されている。商品の画像の下に記載された線分は、商品の品番、説明、価格などを示す。画像５１は確認者Ｍ４１が所属する会社Ａの製品の画像であり、画像５２は確認者Ｍ４２が所属する会社Ｂの製品の画像である。この場合、校正者Ｍ３は、確認者Ｍ４１に画像５１の確認を依頼し、確認者Ｍ４２に画像５２の確認を依頼する。
【００４５】
図５は、印刷システム１を用いた印刷処理の概略手順を示す図である。図５に示すように、確認者Ｍ４１、Ｍ４２は、それぞれ、印刷物に掲載する画像５１、５２を入稿する（ステップＳ１０１）。ステップＳ１０１において、確認者Ｍ４１は。例えば、郵便や電子メールを用いて制作者Ｍ２に画像５１を送信する。確認者Ｍ４２も、同様の方法で制作者Ｍ２に画像５２を送信する。
【００４６】
制作者Ｍ２は、ステップＳ１０１で入稿された画像を含む印刷物（商品カタログ）のページデータを作成する（ステップＳ１０２）。ステップＳ１０２において、制作者Ｍ２は、制作者コンピュータ２０上で動作する編集プログラムを用いて、印刷物のページデータを作成する。作成されたページデータは、例えば、ＰＤＦ（Portable Document Format）データや、ＰｏｓｔＳｃｒｉｐｔを用いて記述されたデータである。ページデータは、制作者コンピュータ２０からサーバコンピュータ１０に送信され、サーバコンピュータ１０の印刷データベース１１に記憶される。
【００４７】
印刷機オペレータＭ１は、ステップＳ１０２で作成されたページデータを印刷データ（印刷機５で処理可能なデータ）に変換する（ステップＳ１０３）。ステップＳ１０３において、印刷機オペレータＭ１は、例えば、図示しないＲＩＰ処理装置を用いてＲＩＰ処理を行うことにより、ページデータを印刷データに変換する。得られた印刷データは、サーバコンピュータ１０の印刷データベース１１に記憶される。
【００４８】
校正者Ｍ３は、ステップＳ１０３で得られた印刷データが表す画像を校正画像として校正を行う（ステップＳ１０４）。ステップＳ１０４において、校正者Ｍ３は、校正者コンピュータ３０を操作して、サーバコンピュータ１０上で動作する印刷支援プログラム１３の機能を利用することにより、印刷データベース１１に記憶された印刷データが表す画像を校正画像として校正を行う。また、校正者Ｍ３は、校正画像から校正者Ｍ３が確認できない部分画像を抽出し、抽出した部分画像の確認を確認者Ｍ４１、Ｍ４２に依頼する。確認者Ｍ４１、Ｍ４２は、校正者Ｍ３からの依頼に応じて部分画像を確認する。
【００４９】
印刷処理は、ステップＳ１０４における校正で修正箇所が検出されたか否かに応じて、次のステップへ進む（ステップＳ１０５）。校正で修正箇所が検出された場合（ステップＳ１０５でＹｅｓの場合）には、印刷処理はステップＳ１０２に進む。この場合、制作者Ｍ２は、ステップＳ１０４で検出された修正箇所を修正して、印刷物のページデータを再作成する。校正で修正箇所が検出されなかった場合（ステップＳ１０５でＮｏの場合）には、印刷処理はステップＳ１０６に進む。この場合、印刷機オペレータＭ１は、ステップＳ１０２で作成されたページデータに基づき印刷機５を用いて印刷物を印刷する（ステップＳ１０６）。
【００５０】
以下、ステップＳ１０４において実行される画像の確認（部分確認）について説明する。ここでは例として、校正者Ｍ３が確認者Ｍ４１に画像５１の確認を依頼する場合について説明する。上述したように、サーバコンピュータ１０上で動作する印刷支援プログラム１３は、校正支援プログラム１４を含んでいる。画像５１の確認は、サーバコンピュータ１０上で動作する校正支援プログラム１４の機能を利用して行われる。より詳細には、校正者Ｍ３は、校正者コンピュータ３０を操作して校正支援プログラム１４の機能を利用することにより、確認者Ｍ４１に画像５１の確認を依頼する。確認者Ｍ４１は、確認者コンピュータ４１を操作して校正支援プログラム１４の機能を利用することにより、画像５１を確認する。校正者Ｍ３は、校正者コンピュータ３０を操作して校正支援プログラム１４の機能を利用することにより、画像５１の確認状況を知る。
【００５１】
図６は、校正支援プログラム１４のフローチャートである。サーバコンピュータ１０は、校正支援プログラム１４を実行することにより、校正者コンピュータ３０に表示される校正画面に関する処理（ステップＳ２１１〜Ｓ２１６）、確認者コンピュータ４１に表示される確認画面に関する処理（ステップＳ２２１〜Ｓ２２６）に関する処理、および、校正者コンピュータ３０に表示される確認状況画面に関する処理（ステップＳ２３１〜Ｓ２３６）を行う。
【００５２】
サーバコンピュータ１０は、画面の種類に応じて、ステップＳ２１１、Ｓ２２１、Ｓ２３１のいずれかに進む（ステップＳ２０１）。サーバコンピュータ１０は、校正者コンピュータ３０から校正画面の表示要求を受けたときにはステップＳ２１１に進み、確認者コンピュータ４１から確認画面の表示要求を受けたときにはステップＳ２２１に進み、校正者コンピュータ３０から確認状況画面の表示要求を受けたときにはステップＳ２３１に進む。
【００５３】
ステップＳ２１１において、サーバコンピュータ１０は、校正者コンピュータ３０に表示される校正画面の画面データを生成する。校正画面には、ＲＩＰ処理で求めた印刷データが表す画像が校正画像として含まれる。次に、サーバコンピュータ１０は、ステップＳ２１１で生成した画面データを校正者コンピュータ３０に提供する（ステップＳ２１２）。校正者コンピュータ３０は、サーバコンピュータ１０から提供された画面データに基づき、校正画像を含む校正画面を表示する。
【００５４】
校正者Ｍ３は、校正者コンピュータ３０に表示された校正画面を見て、校正画像を校正する。校正者Ｍ３は、校正者コンピュータ３０のキーボード１０８とマウス１０９を操作することにより、校正画面内で各種の操作を行う。校正者コンピュータ３０は、校正画面内の操作に応じた指示をサーバコンピュータ１０に送信する。
【００５５】
サーバコンピュータ１０は、校正画面内の操作に応じた指示を校正者コンピュータ３０から受信する（ステップＳ２１３）。次に、サーバコンピュータ１０は、受信した指示の種類に応じて次のステップへ進む（ステップＳ２１４）。サーバコンピュータ１０は、受信した指示が確認依頼指示の場合はステップＳ２１５へ進み、受信した指示が終了指示の場合は処理を終了する。それ以外の場合、サーバコンピュータ１０はステップＳ２１１へ進む。この場合、サーバコンピュータ１０は、受信した指示に応じて校正画面の画面データを更新し、校正者コンピュータ３０に提供する。校正者コンピュータ３０は、更新された画面データに基づき新たな校正画面を表示する。
【００５６】
受信した指示が確認依頼指示の場合、サーバコンピュータ１０は、受信した確認依頼指示に基づき、印刷データベース１１に含まれる確認状況情報１２を更新する（ステップＳ２１５）。ステップＳ２１５では、今回の確認依頼が確認状況情報１２に追加される。
【００５７】
次に、サーバコンピュータ１０は、部分画像の確認依頼が行われたことを示す電子メールを確認者コンピュータ４１に送信する（ステップＳ２１６）。サーバコンピュータ１０は、ステップＳ２１６を実行した後、ステップＳ２１１へ進む。確認者コンピュータ４１がステップＳ２１６で送信された電子メールを受信すると、確認者Ｍ４１は部分画像の確認依頼が行われたことを知る。
【００５８】
図７は、校正者コンピュータ３０に表示される校正画面を示す図である。図７に示す校正画面６０は、サーバコンピュータ１０がステップＳ２１２で提供した画面データに基づき表示される。校正画面６０は、校正画像６１と複数のアイコン６２を含んでいる。アイコン６２は、校正画面６０に対する各種の操作に対応する。アイコン６２の中には、画像の確認依頼を行うためのアイコン６３が含まれる。
【００５９】
図８は、校正画面６０内で部分画像を指定する方法を示す図である。校正者Ｍ３は、確認者Ｍ４１に画像５１の確認を依頼するときには、校正者コンピュータ３０のマウス１０９を操作することにより、アイコン６３を選択した後、校正画像６１内で画像５１を含む画像６４の対角線上の２点Ｐａ、Ｐｂを指定する。２点Ｐａ、Ｐｂの座標は、校正者コンピュータ３０からサーバコンピュータ１０に送信される。
【００６０】
サーバコンピュータ１０は、２点Ｐａ、Ｐｂの座標を受信すると、印刷データベース１１に記憶された校正画像６１に含まれる画像６４を「確認すべき画像」として抽出する。サーバコンピュータ１０は、確認すべき部分画像を含む確認依頼画面の画面データを生成し、校正者コンピュータ３０に提供する。校正者コンピュータ３０は、サーバコンピュータ１０から提供された画面データに基づき、校正画面６０と共に図９に示す確認依頼画面６５を表示する。
【００６１】
図９に示す確認依頼画面６５は、確認すべき画像に加えて、確認者を入力するためのボックス、確認者を選択するための選択ボタン、確認内容を入力するためのボックス、ＯＫボタン、および、キャンセルボタンを含んでいる。校正者Ｍ３は、校正者コンピュータ３０のキーボード１０８とマウス１０９を操作することにより、ボックスに確認者や確認内容を入力したり、ボタンを押したりする。
【００６２】
確認依頼画面６５内で選択ボタンが押されたときに、校正者コンピュータ３０は確認者選択画面の表示要求をサーバコンピュータ１０に送信する。サーバコンピュータ１０は、確認者選択画面の表示要求を受信すると、確認者選択画面の画面データを生成し、確認者コンピュータ４１に提供する。確認者コンピュータ４１は、サーバコンピュータ１０から提供された画面データに基づき、校正画面６０と共に図１０に示す確認者選択画面６６を表示する。
【００６３】
図１０に示す確認者選択画面６６は、確認者を検索するときのキーワードを入力するためのボックス、確認者の候補の一覧、確認者を選択するためのラジオボタン、ＯＫボタン、および、キャンセルボタンを含んでいる。校正者Ｍ３は、校正者コンピュータ３０のキーボード１０８とマウス１０９を操作することにより、確認者選択画面６６を用いて確認者を選択する。
【００６４】
校正者Ｍ３は、確認者を選択した後、確認依頼画面６５内のＯＫボタンを押す。このとき、校正者コンピュータ３０は、確認依頼指示をサーバコンピュータ１０に送信する。サーバコンピュータ１０は、確認依頼指示を受信すると、図６に示すステップＳ２１５、Ｓ２１６を実行する。サーバコンピュータ１０は、ステップＳ２１５において、校正者Ｍ３が確認者Ｍ４１に画像５１の確認を依頼したことを確認状況情報１２に追加する。サーバコンピュータ１０は、ステップＳ２１６において、校正者Ｍ３が確認者Ｍ４１に部分画像の確認を依頼したことを示す電子メールを確認者コンピュータ４１に送信する。
【００６５】
図１１は、ステップＳ２１６で送信される電子メールを示す図である。図１１に示す電子メール６９は、依頼者（校正者）、ジョブ名、番号、依頼日時、確認内容、および、ＵＲＬ（Uniform Resource Locator）を含んでいる。このうち確認内容は、確認依頼画面６５に入力されたものである。ＵＲＬは、サーバコンピュータ１０が管理する、確認者Ｍ４１用のサイトのＵＲＬである。ＵＲＬは、確認者コンピュータ４１が確認画面の画面データの提供を受けるためのアドレス情報とも言える。
【００６６】
確認者コンピュータ４１が電子メール６９を受信すると、確認者Ｍ４１は受信した電子メールに含まれるＵＲＬをクリックする。このとき、確認者コンピュータ４１は、確認画面の表示要求をサーバコンピュータ１０に送信する。これに応じて、サーバコンピュータ１０は、図６に示すステップＳ２２１〜２２６を実行する。
【００６７】
ステップＳ２２１において、サーバコンピュータ１０は、確認者コンピュータ４１に表示される確認画面の画面データを生成する。次に、サーバコンピュータ１０は、ステップＳ２２１で生成した画面データを確認者コンピュータ４１に提供する（ステップＳ２２２）。確認者コンピュータ４１は、サーバコンピュータ１０から提供された画面データに基づき、確認画面を表示する。
【００６８】
確認者Ｍ４１は、確認者コンピュータ４１に表示された確認画面を見て、部分画像を確認する。確認者Ｍ４１は、確認者コンピュータ４１のキーボード１０８とマウス１０９を操作することにより、確認画面内で各種の操作を行う。確認者コンピュータ４１は、確認画面内の操作に応じた指示をサーバコンピュータ１０に送信する。
【００６９】
サーバコンピュータ１０は、確認画面内の操作に応じた指示を確認者コンピュータ４１から受信する（ステップＳ２２３）。次に、サーバコンピュータ１０は、受信した指示の種類に応じて次のステップへ進む（ステップＳ２２４）。サーバコンピュータ１０は、受信した指示が確認指示の場合はステップＳ２２５へ進み、受信した指示が終了指示の場合は処理を終了する。それ以外の場合、サーバコンピュータ１０はステップＳ２２１へ進む。この場合、サーバコンピュータ１０は、受信した指示に応じて確認画面の画面データを更新し、確認者コンピュータ４１に提供する。確認者コンピュータ４１は、更新された画面データに基づき新たな確認画面を表示する。
【００７０】
受信した指示が確認指示の場合、サーバコンピュータ１０は、確認指示に基づき印刷データベース１１に含まれる確認状況情報１２を更新する（ステップＳ２２５）。ステップＳ２２５では、確認画面内での操作に応じて、確認依頼の状況はＯＫまたはＮＧに更新される。
【００７１】
次に、サーバコンピュータ１０は、部分画像の確認が行われたことを示す電子メールを校正者コンピュータ３０に送信する（ステップＳ２２６）。サーバコンピュータ１０は、ステップＳ２２６を実行した後、ステップＳ２２１へ進む。校正者コンピュータ３０がステップＳ２２６で送信された電子メールを受信すると、校正者Ｍ３は部分画像の確認が行われたことを知る。
【００７２】
図１２は、確認者コンピュータ４１に表示される確認画面を示す図である。図１２に示す確認画面７０は、確認依頼ごとに、番号、依頼日時、ジョブ名、依頼者（校正者）、確認すべき画像、確認内容、確認者コメント、および、確認結果を含んでいる。確認結果の欄には、ＯＫボタン、ＮＧボタン、および、編集ボタンが含まれる。部分画像が未確認の場合、確認者コメントの欄には確認者コメントを入力するためのボックスが含まれる。
【００７３】
確認者Ｍ４１は、確認者コンピュータ４１のキーボード１０８とマウス１０９を操作することにより、ボックスに確認者コメントを入力したり、ボタンを押したりする。確認画面７０内のＯＫボタンまたはＮＧボタンが押されると、確認者コンピュータ４１は確認指示をサーバコンピュータ１０に送信する。サーバコンピュータ１０は、確認指示を受信すると、図６に示すステップＳ２２５、Ｓ２２６を実行する。サーバコンピュータ１０は、ステップＳ２２５において、確認者Ｍ４１による確認画面内の操作に応じて、確認依頼の状況をＯＫまたはＮＧに更新する。サーバコンピュータ１０は、ステップＳ２２６において、確認者Ｍ４１が部分画像を確認したことを示す電子メールを校正者コンピュータ３０に送信する。
【００７４】
図１３は、ステップＳ２２６で送信される電子メールを示す図である。図１３に示す電子メール７９は、確認者、ジョブ名、番号、依頼日時、確認内容、確認日時、および、確認者コメントを含んでいる。このうち確認者コメントは、確認画面７０を用いて入力されたものである。校正者コンピュータ３０が電子メール７９を受信すると、校正者Ｍ３は確認者Ｍ４１が部分画像を確認したことを知る。
【００７５】
校正者Ｍ３は、任意のタイミングで部分画像の確認状況を知りたいと考える。例えば、校正者コンピュータ３０が電子メール７９を受信したときに、校正者Ｍ３は部分画像の確認状況を知りたいと考える。校正者コンピュータ３０は、校正者Ｍ３からの指示に応じて、確認状況画面の表示要求をサーバコンピュータ１０に送信する。これに応じて、サーバコンピュータ１０は、図６に示すステップＳ２３１〜２３６を実行する。
【００７６】
ステップＳ２３１において、サーバコンピュータ１０は、確認状況情報１２に基づき、校正者コンピュータ３０に表示される確認状況画面の画面データを生成する。次に、サーバコンピュータ１０は、ステップＳ２３１で生成した画面データを校正者コンピュータ３０に提供する（ステップＳ２３２）。校正者コンピュータ３０は、サーバコンピュータ１０から提供された画面データに基づき、確認状況画面を表示する。
【００７７】
校正者Ｍ３は、校正者コンピュータ３０に表示された確認状況画面を見て、部分画像の確認状況を知る。校正者Ｍ３は、校正者コンピュータ３０のキーボード１０８とマウス１０９を操作することにより、確認状況画面内で各種の操作を行う。校正者コンピュータ３０は、確認状況画面内の操作に応じた指示をサーバコンピュータ１０に送信する。
【００７８】
サーバコンピュータ１０は、確認状況画面内の操作に応じた指示を校正者コンピュータ３０から受信する（ステップＳ２３３）。次に、サーバコンピュータ１０は、受信した指示の種類に応じて次のステップへ進む（ステップＳ２３４）。サーバコンピュータ１０は、受信した指示が確認キャンセル指示の場合はステップＳ２３５へ進み、受信した指示が終了指示の場合には処理を終了する。それ以外の場合、サーバコンピュータ１０はステップＳ２３１へ進む。この場合、サーバコンピュータ１０は、受信した指示に応じて確認状況画面の画面データを更新し、校正者コンピュータ３０に提供する。校正者コンピュータ３０は、更新された画面データに基づき新たな確認状況画面を表示する。
【００７９】
以下、確認者Ｍ４２に対する部分画像の確認依頼をキャンセルする場合について説明する。受信した指示が確認キャンセル指示の場合、サーバコンピュータ１０は、確認キャンセル指示に基づき印刷データベース１１に含まれる確認状況情報１２を更新する（ステップＳ２３５）。ステップＳ２３５では、キャンセルされる確認依頼が確認状況情報１２から削除される。
【００８０】
次に、サーバコンピュータ１０は、部分画像の確認依頼がキャンセルされたことを示す電子メールを確認者コンピュータ４２に送信する（ステップＳ２３６）。確認者コンピュータ４２がステップＳ２３６で送信された電子メールを受信すると、確認者Ｍ４２は部分画像の確認依頼がキャンセルされたことを知る。
【００８１】
図１４は、校正者コンピュータ３０に表示される確認状況画面を示す図である。図１４に示す確認状況画面８０は、確認依頼ごとに、番号、依頼日時、ページ番号、確認すべき画像、確認内容、依頼者、確認者、確認日時、確認結果、および、確認者コメントを含んでいる。部分画像が未確認の場合、確認日時、確認結果、および、確認者コメントの欄は空白であり、削除ボタンが表示される。
【００８２】
図１４に示すように、確認状況画面８０は、校正者Ｍ３（ここでは、田中）が部分画像の確認依頼を行った複数の確認者（ここでは、会社Ａの山田および会社Ｂの佐藤）における確認状況を一覧表形式で表示する。これにより、校正者Ｍ３の利便性を高めることができる。
【００８３】
校正者Ｍ３は、確認状況画面８０を見て、部分画像の確認状況を知る。校正者Ｍ３は、校正者コンピュータ３０のマウス１０９を操作することにより、削除ボタンを押す。確認状況画面８０内で削除ボタンが押されると、校正者コンピュータ３０は確認キャンセル指示をサーバコンピュータ１０に送信する。サーバコンピュータ１０は、確認キャンセル指示を受信すると、図６に示すステップＳ２３５、Ｓ２３６を実行する。サーバコンピュータ１０は、ステップＳ２３５において、キャンセルされた確認依頼を確認状況情報１２から削除する。サーバコンピュータ１０は、ステップＳ２３６において、校正者Ｍ３が部分画像の確認依頼をキャンセルしたことを示す電子メールを確認者コンピュータ４２に送信する。
【００８４】
図１５は、ステップＳ２３６で送信される電子メールを示す図である。図１５に示す電子メール８９は、図１４に示す削除ボタンが押されたときに確認者コンピュータ４２に送信される。電子メール８９は、依頼者（校正者）、ジョブ名、番号、依頼日時、および、確認内容を含んでいる。確認者コンピュータ４２が電子メール８９を受信すると、確認者Ｍ４２は校正者Ｍ３が部分画像の確認依頼をキャンセルしたことを知る。
【００８５】
以上に示すように、本実施形態に係る校正支援方法は、第１コンピュータ（サーバコンピュータ１０）と第２コンピュータ（校正者コンピュータ３０）と第３コンピュータ（確認者コンピュータ４１）とが通信可能に接続されている場合に、第１コンピュータによって実行される校正支援方法であって、校正画像６１を含む校正画面６０を表示するための第１画面データ（校正画面６０の画面データ）を第２コンピュータに提供するステップ（ステップＳ２１２）と、第２コンピュータに表示された校正画面内で、少なくとも校正画像の一部分を構成する部分画像の位置と部分画像を確認すべき確認者とを指定して部分画像の確認依頼が行われたときに、第２コンピュータから確認依頼指示を受信するステップ（ステップＳ２１３）と、確認依頼指示に基づき、部分画像の確認状況情報１２を更新するステップ（ステップＳ２１５）と、部分画像の確認画面７０を表示するための第２画面データ（確認画面７０の画面データ）を第３コンピュータに提供するステップ（ステップＳ２２２）と、第３コンピュータに表示された確認画面７０内で部分画像の確認が行われたときに、第３コンピュータから確認指示を受信するステップ（ステップＳ２２３）と、確認指示に基づき、確認状況情報１２を更新するステップ（ステップＳ２２５）とを備えている。
【００８６】
本実施形態に係る校正支援方法によれば、第２コンピュータに表示された校正画面内で校正画像の一部分を構成する部分画像の位置と部分画像を確認すべき確認者とを指定することにより、部分画像の確認依頼を容易に行うことができる。また、第３コンピュータに表示された確認画面内で部分画像の確認を容易に行うことができる。また、第１コンピュータは、第２コンピュータから受信した確認依頼指示と第３コンピュータから受信した確認指示とに基づき、部分画像の確認状況を管理する。したがって、校正紙を用いずに、校正画像に含まれる部分画像の確認を容易に行い、作業効率を高めることができる。
【００８７】
上記の校正支援方法は、第２コンピュータから確認依頼指示を受信したときに、部分画像の確認依頼が行われたことを示す電子メール６９を第３コンピュータに送信するステップ（ステップＳ２１６）をさらに備えている。したがって、第３コンピュータを操作する作業者（確認者Ｍ４１）は部分画像の確認依頼が行われたことを知ることができる。電子メール６９は、第２画面データの提供を受けるためのアドレス情報（ＵＲＬ）を含んでいる。したがって、第３コンピュータを操作する作業者は、電子メール６９に含まれるアドレス情報を用いて、第３コンピュータに確認画面７０を表示させることができる。
【００８８】
上記の校正支援方法は、第３コンピュータから確認指示を受信したときに、部分画像の確認が行われたことを示す電子メール７９を第２コンピュータに送信するステップ（ステップＳ２２６）をさらに備えている。したがって、第２コンピュータを操作する作業者（校正者Ｍ３）は、部分画像の確認が行われたことを知ることができる。
【００８９】
上記の校正支援方法は、確認状況情報１２に基づく確認状況画面８０を表示するための第３画面データ（確認状況画面８０の画面データ）を第２コンピュータに提供するステップ（ステップＳ２３２）をさらに備えている。したがって、第２コンピュータを操作する作業者は、第２コンピュータに表示された確認状況画面を見て、部分画像の確認状況を知ることができる。また、確認状況画面８０は、複数の確認者による確認状況を一覧表形式で表示する。したがって、第２コンピュータを操作する作業者の利便性を高めることができる。
【００９０】
上記の校正支援方法は、第２コンピュータに表示された確認状況画面８０内で部分画像の確認依頼がキャンセルされたときに、第２コンピュータから確認キャンセル指示を受信するステップ（ステップＳ２３３）と、確認キャンセル指示に基づき、確認状況情報１２を更新するステップ（ステップＳ２３５）とをさらに備えている。したがって、第２コンピュータに表示された確認状況画面８０内で部分画像の確認依頼を容易にキャンセルすることができる。
【００９１】
上記の校正支援方法は、第２コンピュータから確認キャンセル指示を受信したときに、部分画像の確認依頼がキャンセルされたことを示す電子メール８９を第３コンピュータに送信するステップ（ステップＳ２３６）をさらに備えている。したがって、第３コンピュータを操作する作業者は、部分画像の確認依頼がキャンセルされたことを知ることができる。
【００９２】
本実施形態に係る校正支援プログラムは、上記の校正支援方法と同様の特徴を有し、上記の校正支援方法と同様の効果を奏する。
【００９３】
また、通信可能に接続された第１コンピュータ（サーバコンピュータ１０）と第２コンピュータ（校正者コンピュータ３０）と第３コンピュータ（確認者コンピュータ４１）は、以下の校正支援方法を実行する。校正支援方法は、第１コンピュータが、校正画像６１を含む校正画面６０を表示するための第１画面データ（校正画面６０の画面データ）を第２コンピュータに提供するステップ（ステップＳ２１２）と、第２コンピュータが、第１コンピュータから提供された第１画面データに基づき、校正画面６０を表示するステップと、第２コンピュータに表示された校正画面内で、少なくとも校正画像の一部分を構成する部分画像の位置と部分画像を確認すべき確認者とを指定して部分画像の確認依頼が行われたときに、第２コンピュータが確認依頼指示を第１コンピュータに送信するステップと、第１コンピュータが、第２コンピュータから受信した確認依頼指示に基づき、部分画像の確認状況情報１２を更新するステップ（ステップＳ２１５）と、第１コンピュータが、確認画面７０を表示するための第２画面データ（確認画面７０の画面データ）を第３コンピュータに提供するステップ（ステップＳ２２２）と、第３コンピュータが、第１コンピュータから提供された第２画面データに基づき、部分画像の確認画面７０を表示するステップと、第３コンピュータに表示された確認画面７０内で部分画像の確認が行われたときに、第３コンピュータが確認指示を第１コンピュータに送信するステップと、第１コンピュータが、第３コンピュータから受信した確認指示に基づき、確認状況情報１２を更新するステップ（ステップＳ２２５）とを備えている。このような校正支援方法によっても、上記の校正支援方法と同様の効果を奏することができる。
【符号の説明】
【００９４】
１…印刷システム
５…印刷機
９…通信ネットワーク
１０…サーバコンピュータ（第１コンピュータ）
１２…確認状況情報
１３…印刷支援プログラム
１４…校正支援プログラム
１６…確認履歴
３０…校正者コンピュータ（第２コンピュータ）
４１、４２…確認者コンピュータ（第３コンピュータ）
５１、５２、６４…画像
６０…校正画面
６１…校正画像
６５…確認依頼画面
６６…確認者選択画面
６９、７９、８９…電子メール
７０…確認画面
８０…確認状況画面
１００…コンピュータ
１０１…ＣＰＵ
１１０…記録媒体
Ｍ１…印刷機オペレータ
Ｍ２…編集者
Ｍ３…校正者
Ｍ４１、Ｍ４２…確認者
【図１】
2020154410.tif 000003
【図２】
2020154410.tif 000004
【図３】
2020154410.tif 000005
【図４】
2020154410.tif 000006
【図５】
2020154410.tif 000007
【図６】
2020154410.tif 000008
【図７】
2020154410.tif 000009
【図８】
2020154410.tif 000010
【図９】
2020154410.tif 000011
【図１０】
2020154410.tif 000012
【図１１】
2020154410.tif 000013
【図１２】
2020154410.tif 000014
【図１３】
2020154410.tif 000015
【図１４】
2020154410.tif 000016
【図１５】
2020154410.tif 000017
【図１６】
2020154410.tif 000018